(57)【要約】【課題】第１表示手段に表示されている情報に対応するコンテンツをユーザの操作を待たずして第２表示手段に表示させること。【解決手段】取得手段１０３は、コンテンツに関連する関連情報（例えば、ユーザの操作に基づいてコンテンツに関して行われた処理の量を示す情報）を取得する。選択手段１０４は、コンテンツを表示させるための表示情報が第１表示手段１０１に複数表示される場合に、それら複数の表示情報に対応する複数のコンテンツについて取得手段１０３によりそれぞれ取得された関連情報に基づいて、それら複数のコンテンツから１以上のコンテンツを選択する。表示制御手段１０５は、選択手段１０４により選択された１以上のコンテンツを第２表示手段１０２に表示させる。【選択図】図３
2015158867.tif 000002
【特許請求の範囲】
【請求項１】
第１表示手段と、
第２表示手段と、
コンテンツに関連する関連情報を取得する取得手段と、
前記コンテンツを表示させるための表示情報が前記第１表示手段に複数表示される場合に、複数の当該表示情報に対応する複数のコンテンツについて前記取得手段によりそれぞれ取得された関連情報に基づいて、当該複数のコンテンツから１以上のコンテンツを選択する選択手段と、
前記選択手段により選択された１以上のコンテンツを前記第２表示手段に表示させる表示制御手段と
を備える表示装置。
【請求項２】
前記取得手段は、ユーザの操作に基づいて前記コンテンツに関して行われた処理の量を示す情報を前記関連情報として取得し、
前記選択手段は、取得された前記関連情報により示される処理の量に応じたコンテンツを前記１以上のコンテンツとして選択する
請求項１に記載の表示装置。
【請求項３】
前記取得手段は、ユーザの属性を前記関連情報として取得し、
前記選択手段は、取得された前記属性と前記コンテンツとが関連する度合いに応じたコンテンツを前記１以上のコンテンツとして選択する
請求項１または２に記載の表示装置。
【請求項４】
前記取得手段は、自装置の位置または現在の時期を示す情報を前記関連情報として取得し、
前記選択手段は、取得された前記関連情報により示される位置または時期と前記コンテンツとが関連する度合いに応じたコンテンツを前記１以上のコンテンツとして選択する
請求項１から３までのいずれか１項に記載の表示装置。
【請求項５】
前記取得手段は、ユーザの視線と前記第１表示手段とが交わる位置を示す情報を前記関連情報として取得し、
前記選択手段は、取得された前記関連情報により示される位置に表示されている前記表示情報に対応するコンテンツを、前記１以上のコンテンツとして選択する
請求項１から４までのいずれか１項に記載の表示装置。
【請求項６】
前記取得手段は、前記表示情報が前記第１表示手段に表示されている時間を示す情報を前記関連情報として取得し、
前記選択手段は、前記第１表示手段に表示させた前記複数の表示情報のそれぞれについて取得された前記関連情報により示される時間の長さに応じたコンテンツを、前記１以上のコンテンツとして選択する
請求項１から５までのいずれか１項に記載の表示装置。
【請求項７】
前記表示制御手段は、前記選択手段により選択されたコンテンツのリストを前記第２表示手段に表示させ、当該リストを表すリスト画像を前記第１表示手段に表示させる
請求項１から６までのいずれか１項に記載の表示装置。
【請求項８】
前記表示制御手段は、選択された前記１以上のコンテンツを、当該１以上のコンテンツについて取得された関連情報に基づいて決定される優先度に応じた態様または位置で表示させる
請求項１から７までのいずれか１項に記載の表示装置。
【請求項９】
前記表示制御手段は、前記第２表示手段に表示させた前記コンテンツに対応する前記表示情報を、他の前記表示情報とは異なる態様で前記第１表示手段に表示させる
請求項１から８までのいずれか１項に記載の表示装置。
【請求項１０】
第１表示手段と、第２表示手段とを備える表示装置が、
コンテンツに関連する関連情報を取得する取得ステップと、
前記表示装置が、前記コンテンツを表示させるための表示情報が前記第１表示手段に複数表示される場合に、複数の当該表示情報に対応する複数のコンテンツについて前記取得ステップにおいてそれぞれ取得された関連情報に基づいて、当該複数のコンテンツから１以上のコンテンツを選択する選択ステップと、
前記表示装置が、前記選択ステップにおいて選択された１以上のコンテンツを前記第２表示手段に表示させる表示制御ステップと
を備える表示方法。
【発明の詳細な説明】
【技術分野】
【０００１】
本発明は、コンテンツを表示するための技術に関する。
【背景技術】
【０００２】
コンテンツを表示するための技術がある。例えば、特許文献１には、第１の画面でユーザにより指定されたリンク先のＷｅｂページを第２の画面に表示する技術が記載されている。
【先行技術文献】
【特許文献】
【０００３】
【特許文献１】特開２０１１−２１５９０９号公報
【発明の概要】
【発明が解決しようとする課題】
【０００４】
特許文献１の発明のように、２つの表示手段を有する表示装置において、表示手段が２つあることを生かして、例えばコンテンツを表示させるための情報（以下「表示情報」という。例えばハイパーリンク）が第１表示手段に表示されているときに、その表示情報に対応するコンテンツ（例えばＷｅｂページ）を第２表示手段に表示させると、表示情報を表示させたままコンテンツも表示させることができて便利である。しかし、特許文献１の発明では、ユーザが指定するまではコンテンツの表示が行われない。そのため、コンテンツを指定してからそのコンテンツが表示されるまでに要する時間によってユーザがストレスを感じることがある。
そこで、本発明は、第１表示手段に表示されている情報に対応するコンテンツをユーザの操作を待たずして第２表示手段に表示させることを目的とする。
【課題を解決するための手段】
【０００５】
上記課題を達成するために、本発明は、第１表示手段と、第２表示手段と、コンテンツに関連する関連情報を取得する取得手段と、前記コンテンツを表示させるための表示情報が前記第１表示手段に複数表示される場合に、複数の当該表示情報に対応する複数のコンテンツについて前記取得手段によりそれぞれ取得された関連情報に基づいて、当該複数のコンテンツから１以上のコンテンツを選択する選択手段と、前記選択手段により選択された１以上のコンテンツを前記第２表示手段に表示させる表示制御手段とを備える表示装置を提供する。
【０００６】
また、前記取得手段は、ユーザの操作に基づいて前記コンテンツに関して行われた処理の量を示す情報を前記関連情報として取得し、前記選択手段は、取得された前記関連情報により示される処理の量に応じたコンテンツを前記１以上のコンテンツとして選択してもよい。
さらに、前記取得手段は、ユーザの属性を前記関連情報として取得し、前記選択手段は、取得された前記属性と前記コンテンツとが関連する度合いに応じたコンテンツを前記１以上のコンテンツとして選択してもよい。
【０００７】
また、前記取得手段は、自装置の位置または現在の時期を示す情報を前記関連情報として取得し、前記選択手段は、取得された前記関連情報により示される位置または時期と前記コンテンツとが関連する度合いに応じたコンテンツを前記１以上のコンテンツとして選択してもよい。
さらに、前記取得手段は、ユーザの視線と前記第１表示手段とが交わる位置を示す情報を前記関連情報として取得し、前記選択手段は、取得された前記関連情報により示される位置に表示されている前記表示情報に対応するコンテンツを、前記１以上のコンテンツとして選択してもよい。
【０００８】
また、前記取得手段は、前記表示情報が前記第１表示手段に表示されている時間を示す情報を前記関連情報として取得し、前記選択手段は、前記第１表示手段に表示させた前記複数の表示情報のそれぞれについて取得された前記関連情報により示される時間の長さに応じたコンテンツを、前記１以上のコンテンツとして選択してもよい。
さらに、前記表示制御手段は、前記選択手段により選択されたコンテンツのリストを前記第２表示手段に表示させ、当該リストを表すリスト画像を前記第１表示手段に表示させてもよい。
【０００９】
また、前記表示制御手段は、選択された前記１以上のコンテンツを、当該１以上のコンテンツについて取得された関連情報に基づいて決定される優先度に応じた態様または位置で表示させてもよい。
さらに、前記表示制御手段は、前記第２表示手段に表示させた前記コンテンツに対応する前記表示情報を、他の前記表示情報とは異なる態様で前記第１表示手段に表示させてもよい。
【００１０】
本発明は、第１表示手段と、第２表示手段とを備える表示装置が、コンテンツに関連する関連情報を取得する取得ステップと、前記表示装置が、前記コンテンツを表示させるための表示情報が前記第１表示手段に複数表示される場合に、複数の当該表示情報に対応する複数のコンテンツについて前記取得ステップにおいてそれぞれ取得された関連情報に基づいて、当該複数のコンテンツから１以上のコンテンツを選択する選択ステップと、前記表示装置が、前記選択ステップにおいて選択された１以上のコンテンツを前記第２表示手段に表示させる表示制御ステップとを備える表示方法を提供する。
【発明の効果】
【００１１】
本発明によれば、第１表示手段に表示されている情報に対応するコンテンツをユーザの操作を待たずして第２表示手段に表示させることができる。
【図面の簡単な説明】
【００１２】
【図１】第１実施形態の表示装置のハードウェア構成の一例を示す図
【図２】表示装置の外観の一例を示す図
【図３】表示装置の機能構成の一例を示す図
【図４】表示されている表示情報の一例を示す図
【図５】処理量情報テーブルの一例を示す図
【図６】表示されたコンテンツの一例を示す図
【図７】表示処理における表示装置の動作の一例を示すフロー図
【図８】属性関連度テーブルの一例を示す図
【図９】位置関連度テーブルの一例を示す図
【図１０】時期関連度テーブルの一例を示す図
【図１１】表示時間情報を取得する方法を説明するための図
【図１２】２以上のコンテンツを表示させた状態の例を示す図
【図１３】優先度に応じた態様でコンテンツを表示させた状態の例を示す図
【図１４】リスト画像の一例を示す図
【図１５】変形例で第１及び第２表示手段に表示される画像の一例を示す図
【発明を実施するための形態】
【００１３】
［１］第１実施形態
［１−１］ハードウェア構成
図１は、第１実施形態の表示装置のハードウェア構成の一例を示す図である。図１に示す表示装置１０は、制御部１１と、記憶部１２と、通信部１３と、操作部１４と、表表示部２０と、裏表示部３０とを備える。なお、図１に示す測位部１５及び撮像部１６については第２実施形態で説明する。表示装置１０は、例えばスマートフォンやタブレット端末、携帯電話機などであり、情報を処理するコンピュータである。
【００１４】
制御部１１は、ＣＰＵ（Central Processing Unit）、ＲＯＭ（Read Only Memory）、ＲＡＭ（Random Access Memory）及びリアルタイムクロックを備え、ＣＰＵが、ＲＡＭをワークエリアとして用いてＲＯＭや記憶部１２に記憶されたプログラムを実行することによって各部の動作を制御する。リアルタイムクロックは、現在の日時を算出してＣＰＵに通知する。記憶部１２は、フラッシュメモリ等を備え、制御部１１が制御に用いるデータやプログラムを記憶している。通信部１３は、通信を行うための通信回路を備え、インターネット等のネットワークを介したデータのやり取りを行う。操作部１４は、タッチスクリーンやボタン型の操作子などを有し、ユーザによる操作を受け付ける。表表示部２０及び裏表示部３０については、図２も参照して説明する。
【００１５】
図２は、表示装置１０の外観の一例を示す図である。図２（ａ）では表示装置１０の表側が示され、図２（ｂ）では表示装置１０の裏側が示されている。表表示部２０は、表示装置１０の表側を向いた表表示面２１を有するディスプレイであり、制御部１１により制御されて表表示面２１に画像を表示する。裏表示部３０は、表示装置１０の裏側を向いた裏表示面３１を有するディスプレイであり、制御部１１により制御されて裏表示面３１に画像を表示する。表表示面２１は長方形の形をしている。以下では、表表示面２１の長辺に沿った方向を上下方向といい、短辺に沿った方向を左右方向という。裏表示面３１は、長方形の形をしており、各辺はそれぞれ上下方向及び左右方向に沿っている。本実施形態の裏表示面３１は、上下方向の寸法が表表示面２１よりも短い。
【００１６】
［１−２］機能構成
表示装置１０の記憶部１２には、コンテンツを表示するためのプログラムが記憶されている。制御部１１がこのプログラムを実行して各部を制御することで、以下に述べる各機能が実現される。
図３は、表示装置１０の機能構成の一例を示す図である。表示装置１０は、第１表示手段１０１と、第２表示手段１０２と、取得手段１０３と、選択手段１０４と、表示制御手段１０５とを備える。
【００１７】
［１−２−１］第１表示手段及び第２表示手段
第１表示手段１０１及び第２表示手段１０２は、それぞれ画像を表示する手段である。両表示手段が表示する画像には、ウェブサイトやＳＮＳ（Social Networking Service）の投稿、地図、電子メールなどのコンテンツが含まれる。これらのコンテンツは、ブラウザやＳＮＳ用のソフト、メールソフトなど、各コンテンツを表示させるための機能を実現するためのプログラム（以下「表示プログラム」という）が実行されることで、第１表示手段１０１及び第２表示手段１０２により表示される。表示装置１０においては、表表示部２０及び裏表示部３０の一方が第１表示手段１０１となり、他方が第２表示手段１０２となる。つまり、どちらの表示部も第１表示手段１０１になり得るし、第２表示手段１０２にもなり得る。
【００１８】
［１−２−２］取得手段
取得手段１０３は、コンテンツに関連する情報（以下「関連情報」という）を取得する手段である。本実施形態では、取得手段１０３は、ユーザの操作に基づいてコンテンツに関して行われた処理の量を示す情報（以下「処理量情報」という）を関連情報として取得する。ここでいう処理には、例えば、コンテンツを表示する処理やコンテンツ内の操作子を操作する処理、コンテンツ内の入力欄に文字列を入力する処理などが含まれる。以下では、取得手段１０３が、コンテンツを表示する処理の処理量情報を取得する場合を例に挙げて説明する。
【００１９】
コンテンツには、他のコンテンツを表示させるための情報（以下「表示情報」という）が表示されることが多い。表示情報とは、例えば、ＷｅｂサイトへのハイパーリンクやＳＮＳの投稿へのハイパーリンク、メールソフトへのハイパーリンク（ブラウザ等で表示されている電子メールアドレスを選択する操作を行うとメールソフトが起動する。ｍａｉｌｔｏ：リンクともいう）などである。これらの表示情報は、表示させるコンテンツの保管場所を示す文字列（例えばＵＲＬ（Uniform Resource Locator））であったり、そのコンテンツをイメージさせる画像や文字列であったりする。
【００２０】
図４は、表示されている表示情報の一例を示す図である。図４の例では、表表示部２０にポータルサイト（複数のコンテンツへのハイパーリンクを集めたＷｅｂサイト）甲が表示されている。ポータルサイト甲には、「コンテンツＡ」へのハイパーリンクを示す表示情報Ｃ１が表示されている。この「コンテンツＡ」と「表示情報Ｃ１」との関係を、以下では「表示情報Ｃ１」に対応する「コンテンツＡ」や「コンテンツＡ」に対応する「表示情報Ｃ１」、「表示情報Ｃ１」により表示される「コンテンツＡ」などという。図４では、「コンテンツＢ」に対応する表示情報Ｃ２と「コンテンツＣ」に対応する表示情報Ｃ３も表示されている。例えばユーザが表示情報Ｃ１を選択する操作を行うと、表示情報Ｃ１に対応するコンテンツＡが表示される。なお、コンテンツＡ、Ｂ、Ｃに対応する表示情報は、ポータルサイト甲に限らず、他のＷｅｂサイトやＳＮＳの投稿、電子メールなどに表示されていてもよい。
【００２１】
取得手段１０３は、コンテンツが表示されると、表示されたコンテンツを識別する情報（以下「コンテンツＩＤ（Identification）」という）に対応付けてそのコンテンツを表示した回数を処理量情報テーブルに格納する。コンテンツＩＤには、例えばＷｅｂページのＵＲＬやＳＮＳの投稿のＵＲＬ、電子メールアドレスなどの情報が用いられる。コンテンツＩＤは、各コンテンツを識別できる情報であれば、どのような情報であってもよい。
【００２２】
図５は、処理量情報テーブルの一例を示す図である。図５の例では、「コンテンツＡのＵＲＬ（実際には「ｈｔｔｐ／／・・・．ｃｏｍ」といったＵＲＬ。以下同様）」、「コンテンツＢのＵＲＬ」及び「コンテンツＣのＵＲＬ」というコンテンツＩＤと、「１０」、「２０」及び「３０」という処理量情報とがそれぞれ対応付けられている。つまり、これらの処理量情報は、表示装置１０が、コンテンツＡを１０回、コンテンツＢを２０回、コンテンツＣを３０回今までに表示したことを表している。
【００２３】
本実施形態では、取得手段１０３は、期間を限定せずに処理量情報を取得する。なお、取得手段１０３は、期間を限定して処理量情報を取得してもよい。具体的には、取得手段１０３は、例えば、過去半年間や３ヶ月間に行われた処理の量を取得するようにしてもよい。
取得手段１０３は、例えばコンテンツＡのコンテンツＩＤが送られてくるとともに処理量情報が要求されると、そのコンテンツＩＤに処理量情報テーブルで対応付けられている処理量情報を関連情報として取得する。取得手段１０３は、そうして取得した関連情報（本実施形態では処理量情報）を選択手段１０４に供給する。
【００２４】
［１−２−３］選択手段
選択手段１０４は、前述した表示情報が第１表示手段１０１に複数表示される場合に、それら複数の表示情報に対応する複数のコンテンツについて取得手段１０３によりそれぞれ取得された関連情報に基づいて、それら複数のコンテンツから１以上のコンテンツを選択する手段である。表示情報が第１表示手段１０１に複数表示される場合とは、例えば図４に示すポータルサイト甲が表表示部２０及び裏表示部３０のうちの一方に表示される場合である。その場合、取得手段１０３は、表示されている表示情報Ｃ１、Ｃ２及びＣ３に対応するコンテンツＡ、Ｂ及びＣについての関連情報を取得して選択手段１０４に供給する。
【００２５】
本実施形態では、選択手段１０４は、取得された関連情報により示される処理の量に応じたコンテンツを１以上のコンテンツとして選択する。選択手段１０４は、例えば、コンテンツＡ、Ｂ及びＣについて図５に示す処理量情報がそれぞれ取得されると、そのうちの処理量情報が示す量（図５の例では回数）が最も多いもの（図５の例では処理量情報が「３０」の「コンテンツＣ」）を選択する。選択手段１０４は、コンテンツを選択すると、例えば選択したコンテンツのコンテンツＩＤを表示制御手段１０５に供給する。
【００２６】
［１−２−４］表示制御手段
表示制御手段１０５は、選択手段１０４により選択された１以上のコンテンツを第２表示手段１０２に表示させる手段である。
図６は、表示されたコンテンツの一例を示す図である。図６（ａ）では、図４に示すポータルサイト甲が表表示部２０（図６の例での第１表示手段１０１）に表示されている。このとき、取得手段１０３及び選択手段１０４が上記のとおり動作して、選択手段１０４により選択されたコンテンツＣのコンテンツＩＤが表示制御手段１０５に供給される。表示制御手段１０５は、第１表示手段１０１（表表示部２０）に表示されている複数の表示情報Ｃ１、Ｃ２及びＣ３に対応する複数のコンテンツＡ、Ｂ及びＣのうち、供給されたコンテンツＩＤにより識別されるもの（図５の例ではコンテンツＣ）を取得する。表示制御手段１０５は、取得したコンテンツを図６（ｂ）に示すように裏表示部３０（図６の例での第２表示手段１０２）に表示させる。
【００２７】
［１−３］動作
表示装置１０は、以上の構成に基づき、コンテンツを表示するための表示処理を行う。表示処理における表示装置１０の動作について、図７を参照して説明する。
図７は、表示処理における表示装置１０の動作の一例を示すフロー図である。表示処理は、例えばユーザが上述した表示プログラム（ブラウザやＳＮＳ用のソフト、メールソフト）を起動する操作を行うことを契機に開始される。表示装置１０は、まず、表示プログラムを起動する（ステップＳ１１）。次に、表示装置１０は、第１表示手段１０１（表表示部２０及び裏表示部３０のうちの一方）に複数の表示情報を表示しているか否かを判断する（ステップＳ１２）。
【００２８】
表示装置１０は、ステップＳ１２において否（ＮＯ）と判断した場合は、ステップＳ１２の動作を再び行い、複数の表示情報を表示している（ＹＥＳ）と判断した場合に、表示している複数の表示情報に対応する複数のコンテンツについての関連情報を取得する（ステップＳ１３）。ステップＳ１３は取得手段１０３が行う動作である。続いて、表示装置１０は、取得した関連情報に基づいて、第１表示手段１０１に表示されている複数の表示情報に対応する複数のコンテンツから１以上のコンテンツを選択する（ステップＳ１４）。ステップＳ１２及びＳ１４は選択手段１０４が行う動作である。そして、表示装置１０は、ステップＳ１４で選択した１以上のコンテンツを、第２表示手段１０２（表表示部２０及び裏表示部３０のうちの他方）に表示する（ステップＳ１５）。ステップＳ１５は表示制御手段１０５が行う動作である。
【００２９】
［１−４］第１実施形態による効果
表示装置１０のように、２つの表示手段を備える場合、例えば一方の表示手段に表示されている表示情報をユーザが選択する操作を行ったときに、その表示情報に対応するコンテンツを他方の表示手段に表示させると、表示情報を表示させたままコンテンツも表示させることができて便利である。しかし、この方法では、ユーザが選択の操作を行ってからコンテンツの取得が行われるため、ユーザが操作のあとすぐに他方の表示手段を見ても、コンテンツがまだ表示されておらず待たされることになる。つまり、この方法では、表示情報に対応するコンテンツが第２表示手段に表示されるまでが遅く、ユーザがストレスを感じることがある。本実施形態では、上記のとおり、第１表示手段に表示されている情報（表示情報）に対応するコンテンツをユーザの操作を待たずして第２表示手段に表示させることができるので、前述の方法に比べて、表示情報に対応するコンテンツを第２表示手段に早く表示させることができる。
【００３０】
また、本実施形態では、処理量情報に応じたコンテンツを選択して表示させている。処理量情報が示す、ユーザの操作に基づいてコンテンツに関して行われた処理の量は、ユーザがその処理を行う可能性の高さを表しやすい。例えば、コンテンツを表示する処理であれば、１００回表示の処理がされたコンテンツは、１０回しか表示の処理がされていないコンテンツに比べて、ユーザが表示させる可能性が高い。このように、本実施形態によれば、処理量情報に関係なくコンテンツを選択する場合に比べて、ユーザが表示させる可能性が高いコンテンツを第２表示手段に表示させることができる。
【００３１】
なお、選択手段１０４は、上記の例では、処理量情報が示す量が最も多い１つのコンテンツを選択していたが、これに限らず、処理量情報が示す量が多い方から２番目までのコンテンツを選択してもよいし、同様に３番目までのコンテンツを選択してもよい。また、選択手段１０４は、処理量情報が示す量が少ない方からコンテンツを選択してもよい。例えば、コンテンツによっては、何回か見ているうちにユーザの関心が薄れてしまうものもある。そのようなコンテンツについては、処理量情報が示す量が少ないコンテンツの方が、その量が多いコンテンツよりもユーザの関心が高くなりやすいので、処理量情報が示す量が少ない方からコンテンツを選択した方が、ユーザが表示させる可能性が高いコンテンツを第２表示手段に表示させることができる。
【００３２】
また、上記の例では、処理が行われた回数を処理情報として用いたが、これに限らず、処理が行われた頻度や処理が行われた時間の長さを処理量情報として用いてもよい。また、例えば投稿を行う処理であれば、投稿の文章の量を処理量情報として用いてもよいし、さらに画像やファイルを添付していた場合には、添付物に応じた量を加算してもよい。また、処理毎に予め定められた重みをつけて処理の量を表してもよい。例えば、Ｗｅｂページの表示よりもＳＮＳの投稿の表示は２倍の重みをつけて表すという具合である。
【００３３】
［２］第２実施形態
本発明の第２実施形態について、以下、第１実施形態と異なる点を中心に説明する。第１実施形態では、処理量情報という関連情報を用いた方法（以下「第１の選択方法」という）でコンテンツが選択されたが、第２実施形態では、第１選択方法とは異なる５通りの関連情報を用いた方法（以下「第２の選択方法」〜「第６の選択方法」という）でコンテンツが選択される。
【００３４】
［２−１］第２の選択方法
第２の選択方法では、取得手段１０３が、ユーザ属性を関連情報として取得する。ここでいうユーザ属性とは、例えば、趣味や特技、関心のある分野、経験したことがある活動（バンドや野球チームなど）といったユーザの属性である。取得手段１０３は、例えば、表示処理を利用するユーザに自身のユーザ属性を登録させ、記憶しておく。取得手段１０３は、図７に示すステップＳ１３において、記憶しておいたユーザ属性を読み出して取得する。なお、取得手段１０３は、ユーザ属性を記憶している外部装置（例えばユーザが利用しているサービスでユーザ属性を管理する装置など）にアクセスして、ユーザ属性を取得してもよい。
【００３５】
選択手段１０４は、取得された属性とコンテンツとが関連する度合い（以下「属性関連度」という）に応じたコンテンツを１以上のコンテンツとして選択する。選択手段１０４は、例えば、ユーザ属性に応じたキーワードがコンテンツに含まれている数によって属性関連度を判断する。この場合、選択手段１０４は、ユーザ属性、キーワード、キーワード数及び属性関連度を対応付けた属性関連度テーブルを記憶している。
【００３６】
図８は、属性関連度テーブルの一例を示す図である。図８の例では、「趣味がスポーツまたはスポーツ経験有り」というユーザ属性に、「スポーツ、サッカー、野球、ラグビー、バスケットボール、・・・」というキーワードと、「５以上」、「２以上５未満」及び「２未満」というキーワード数と、「３」、「２」及び「１」という属性関連度とが対応付けられている。また、「趣味が美食または週に５日以上外食」というユーザ属性に、「夕食、ディナー、レストラン、フレンチ、イタリアン、・・・」というキーワードと、スポーツの場合と同様のキーワード数及び属性関連度とが対応付けられている。
【００３７】
選択手段１０４は、例えば、図４に示す表示情報Ｃ１、Ｃ２及びＣ３が表示され、「趣味がスポーツ」というユーザ属性が取得されると、これらの表示情報に対応するコンテンツＡ、Ｂ及びＣを取得して、「趣味がスポーツ」に属性関連度テーブルで対応付けられているキーワードが含まれている数を計数する。その結果、例えばコンテンツＡ、Ｂ及びＣにそれぞれ１０個、１個及び４個のキーワードが含まれていたとすると、選択手段１０４は、コンテンツＡ、Ｂ及びＣの属性関連度を「３」、「１」及び「２」と判断し、そのうちの最も属性関連度が大きいコンテンツＡを選択する。
【００３８】
第２の選択方法では、以上のとおり属性関連度に応じたコンテンツを選択して表示させている。例えば、スポーツに関するキーワードが１０回登場するコンテンツ（属性関連度が大きいコンテンツ）は、同じキーワードが１回しか登場しないコンテンツ（属性関連度が小さいコンテンツ）に比べて、スポーツに関係する内容となっている可能性が高く、スポーツを趣味とするユーザの関心も高くなりやすい。そして、ユーザの関心が高いコンテンツは、ユーザの関心が低いコンテンツに比べて表示される可能性が高い。このように、第２の選択方法によれば、属性関連度に関係なくコンテンツを選択する場合に比べて、ユーザが表示させる可能性が高いコンテンツを第２表示手段に表示させることができる。
【００３９】
なお、選択手段１０４は、第２の選択方法でも、第１の選択方法と同様に、属性関連度が小さい方からコンテンツを選択してもよい。例えば、ユーザによっては、スポーツに関するコンテンツに関心はあるが、表示装置１０で結果だけを見るのではなく、録画しておいたものを家に帰ってからじっくり見たいという場合がある。そのような場合にスポーツに関するコンテンツが選択されて表示されてしまうと、結果が分かってしまい、録画を見る楽しみが無くなってしまう。選択手段１０４が属性関連度が小さい方からコンテンツを選択することで、そのようなユーザの楽しみを無くすおそれを小さくすることができる。
【００４０】
また、属性関連度の求め方は上記のものに限らない。例えば、表示情報がＵＲＬである場合に、特定のドメイン名（例えばスポーツ新聞社のドメイン名）と特定のユーザ属性（例えばスポーツに関する属性）と属性関連度とを対応付けておき、表示されている各表示情報に含まれるドメイン名と取得されたユーザ属性の組み合わせから属性関連度を判断してもよい。この場合、コンテンツに含まれるキーワード数を計数する処理が不要となる。また、その他にも、例えば文章同士の類似度を判断する周知の技術を用いて、コンテンツ内の文章とユーザ属性を表す文章との類似度に基づいて属性関連度を判断してもよい。要するに、コンテンツとユーザ属性とが関連する度合いが表されていれば、どのような方法で属性関連度を判断してもよい。また、これらの方法は、他の選択方法でも適用できるものについては、それらの選択方法において適用されてもよい。
【００４１】
［２−２］第３の選択方法
第３の選択方法では、取得手段１０３が、自装置の位置を示す情報（以下「位置情報」という）を関連情報として取得する。表示装置１０は、図１に示すように、測位部１５を備える。測位部１５は、例えばＧＰＳ（Global Positioning System）の技術を用いて自装置の位置を測定する。測位部１５は、測定した自装置の位置を例えば緯度及び経度で示す情報を位置情報として制御部１１に供給する。取得手段１０３は、こうして供給された位置情報を関連情報として取得する。
【００４２】
選択手段１０４は、取得された関連情報により示される位置とコンテンツとが関連する度合い（以下「位置関連度」という）に応じたコンテンツを１以上のコンテンツとして選択する。選択手段１０４は、例えば、位置情報に応じたキーワードがコンテンツに含まれている数によって位置関連度を判断する。この場合、選択手段１０４は、位置情報、キーワード、キーワード数及び属性関連度を対応付けた位置関連度テーブルを記憶している。
【００４３】
図９は、位置関連度テーブルの一例を示す図である。図９の例では、「渋谷近辺」という位置情報に、「道玄坂、渋谷公園通り、スクランブル交差点、センター街、・・・」というキーワードと、「５以上」、「２以上５未満」及び「２未満」というキーワード数と、「３」、「２」及び「１」という位置関連度とが対応付けられている。また、「新宿近辺」という位置情報に、「都庁、新宿中央公園、新宿通り、歌舞伎町、・・・」というキーワードと、渋谷近辺の場合と同様のキーワード数及び位置関連度とが対応付けられている。
【００４４】
選択手段１０４は、渋谷近辺や新宿近辺に含まれる緯度及び経度の範囲を記憶しておき、その範囲に取得された位置情報が示す緯度及び経度が含まれているか否かによって、位置情報が渋谷近辺や新宿近辺であるか否かを判断する。なお、この判断は、取得手段１０３により行われてもよい。その場合、取得手段１０３は、「渋谷近辺」や「新宿近辺」といった位置情報を取得して選択手段１０４に供給する。
【００４５】
選択手段１０４は、例えば、図４に示す表示情報Ｃ１、Ｃ２及びＣ３が表示され、「渋谷近辺」と判断される位置情報が取得されると、これらの表示情報に対応するコンテンツＡ、Ｂ及びＣを取得して、「渋谷近辺」に位置関連度テーブルで対応付けられているキーワードが含まれている数を計数する。選択手段１０４は、あとは、例えば第２の選択方法と同様にコンテンツを選択する。
【００４６】
第３の選択方法では、以上のとおり位置関連度に応じたコンテンツを選択して表示させている。例えば、渋谷近辺に関するキーワードが１０回登場するコンテンツ（位置関連度が大きいコンテンツ）は、同じキーワードが１回しか登場しないコンテンツ（位置関連度が小さいコンテンツ）に比べて、渋谷近辺に関係する内容となっている可能性が高く、渋谷近辺にいるユーザの関心も高くなりやすい。従って、第３の選択方法によれば、位置関連度に関係なくコンテンツを選択する場合に比べて、ユーザが表示させる可能性が高いコンテンツを第２表示手段に表示させることができる。
【００４７】
なお、選択手段１０４は、例えば取得される位置情報が示す位置が移動している場合に、現在の位置情報ではなく、移動している方向にある他の位置情報との位置関連度に応じたコンテンツを選択してもよい。具体例を挙げると、ユーザの位置情報が渋谷から新宿に移動してきた場合に、そのまま池袋の方まで移動することも考えられるので、選択手段１０４は、新宿近辺の位置関連度に応じたコンテンツに加え、池袋近辺の位置関連度に応じたコンテンツを選択する、という具合である。
【００４８】
［２−３］第４の選択方法
第４の選択方法では、取得手段１０３が、現在の時期を示す情報（以下「時期情報」という）を関連情報として取得する。ここでいう時期とは、１日のうちの特定の時期（例えば通勤時間帯など）や、１月や１年のうちの特定の時期（例えば年末年始やゴールデンウィーク、夏休みなど）などを含む。取得手段１０３は、予め決められた特定の時期の範囲を示す情報を記憶しておき、現在の日時が含まれる範囲を示す情報を時期情報として取得する。
【００４９】
なお、選択手段１０４がこの時期の範囲を示す情報を記憶しておき、現在の時期を判断してもよい。その場合、取得手段１０３は、現在の日時を時期情報として取得して選択手段１０４に供給し、選択手段１０４がその日時を含む時期を判断する。
選択手段１０４は、取得された関連情報により示される時期とコンテンツとが関連する度合い（以下「時期関連度」という）に応じたコンテンツを１以上のコンテンツとして選択する。選択手段１０４は、例えば、第３の選択方法で述べた位置情報を時期情報に変えた時期関連度テーブルを記憶している。
【００５０】
図１０は、時期関連度テーブルの一例を示す図である。図１０の例では、「出勤時間帯」という時期情報に、「運行、渋滞、天気、降水確率、傘、・・・」というキーワードと、「５以上」、「２以上５未満」及び「２未満」というキーワード数と、「３」、「２」及び「１」という時期関連度とが対応付けられている。また、「年末年始」という時期情報に、「忘年会、クリスマス、大晦日、初詣、初日の出、お年玉、・・・」というキーワードと、出勤時間帯の場合と同様のキーワード数及び時期関連度とが対応付けられている。
【００５１】
選択手段１０４は、例えば、図４に示す表示情報Ｃ１、Ｃ２及びＣ３が表示され、「通勤時間帯」と判断される時期情報が取得されると、これらの表示情報に対応するコンテンツＡ、Ｂ及びＣを取得して、「通勤時間帯」に時期関連度テーブルで対応付けられているキーワードが含まれている数を計数する。選択手段１０４は、あとは、例えば第２の選択方法と同様にコンテンツを選択する。その際、選択手段１０４は、時期関連度が大きい方からコンテンツを選択してもよいし、時期関連度が小さい方からコンテンツを選択してもよい。
【００５２】
第４の選択方法では、以上のとおり時期関連度に応じたコンテンツを選択して表示させている。例えば、通勤時間帯に関するキーワードが１０回登場するコンテンツ（時期関連度が大きいコンテンツ）は、同じキーワードが１回しか登場しないコンテンツ（時期関連度が小さいコンテンツ）に比べて、通勤時間帯によく見られる内容となっている可能性が高く、ユーザの関心も高くなりやすい。従って、第４の選択方法によれば、時期関連度に関係なくコンテンツを選択する場合に比べて、ユーザが表示させる可能性が高いコンテンツを第２表示手段に表示させることができる。
【００５３】
［２−４］第５の選択方法
第５の選択方法では、取得手段１０３が、ユーザの視線と第１表示手段１０１の表示面とが交わる位置を示す情報（以下「視線情報」という）を関連情報として取得する。表示装置１０は、図１に示すように、撮像部１６を備える。撮像部１６は、例えばデジタルカメラとしての機能を有し、図２に示すように表側に設けられたレンズ１７及び裏側に設けられたレンズ１８を用いて画像を撮影する。撮像部１６は、撮影した画像を示す画像データを制御部１１に供給する。取得手段１０３は、撮像部１６により撮影されたユーザの顔の画像を解析して、ユーザの視線と表示面とが交わる位置の座標を算出する。この座標の算出には、周知の視線検知の技術が用いられればよい。取得手段１０３は、算出した座標を視線情報として取得する。
【００５４】
選択手段１０４は、取得された関連情報により示される位置に表示されている表示情報に対応するコンテンツを、１以上のコンテンツとして選択する。選択手段１０４は、第１表示手段１０１の表示面において表示情報が表示されている領域（以下「表示情報領域」という）に一定の期間以上、視線情報が示す座標が含まれていた場合に、その表示情報に対応するコンテンツを選択する。選択手段１０４は、例えば、一度コンテンツを選択すると、そのあとに他の表示情報領域に一定の期間以上、視線情報が示す座標が含まれていても、コンテンツを選択し直さない。なお、選択手段１０４は、その場合にコンテンツを選択し直してもよい。
【００５５】
ユーザは、複数の表示情報が表示されている場合、関心が高い表示情報ほど視線を向けやすい。第５の選択方法では、以上のとおり視線情報により示される位置に表示されている表示情報に対応するコンテンツを選択して表示させるので、視線情報に関係なくコンテンツを選択する場合に比べて、ユーザが表示させる可能性が高いコンテンツを第２表示手段に表示させることができる。
【００５６】
［２−５］第６の選択方法
第６の選択方法では、取得手段１０３が、表示情報が第１表示手段１０１に表示されている時間を示す情報（以下「表示時間情報」という）を関連情報として取得する。取得手段１０３が表示時間情報を取得する方法について、図１１を参照して説明する。
図１１は、表示時間情報を取得する方法を説明するための図である。図１１では、表表示部２０に表示されている投稿乙が示されている。図１１（ａ）では、投稿乙に含まれている表示情報Ｃ４が表示されている。
【００５７】
図１１（ｂ）では、図１１（ａ）に示す状態から下向きにスクロールさせた投稿乙が示されており、投稿乙に含まれる表示情報Ｃ５が表示されている。取得手段１０３は、表示情報Ｃ４が表示されてからスクロールにより表示されなくなるまでの時間を表示情報Ｃ４についての表示時間情報として取得する。また、取得手段１０３は、スクロールにより表示情報Ｃ５が表示されてからさらにスクロールされて表示されなくなるまでの時間を表示情報Ｃ５についての表示時間情報として取得する。
【００５８】
選択手段１０４は、第１表示手段１０１に表示させた複数の表示情報のそれぞれについて取得された関連情報により示される時間の長さに応じたコンテンツを、１以上のコンテンツとして選択する。図１１の例で、例えば表示情報Ｃ４の表示時間情報が４秒、表示情報Ｃ５の表示時間情報が１０秒であった場合、選択手段１０４は、表示時間情報がより長い方の表示情報Ｃ５を選択する。
【００５９】
ユーザは、例えばスクロールさせて表示されるコンテンツにおいて、複数の表示情報が表示されている場合、関心が高い表示情報ほど長い時間表示されやすい。第６の選択方法では、以上のとおり表示時間情報により示される時間の長さに応じたコンテンツを選択して表示させるので、長い時間表示された表示情報に対応するコンテンツほど選択されやすくすることができ、表示時間情報に関係なくコンテンツを選択する場合に比べて、ユーザが表示させる可能性が高いコンテンツを第２表示手段に表示させることができる。
なお、選択手段１０４は、表示時間情報がより短い方の表示情報を選択してもよい。その場合、例えばユーザが表示情報を見逃した可能性のあるコンテンツが表示されやすくなり、ユーザが表示情報が表示されているコンテンツを見逃しにくいようにすることができる。
【００６０】
［２−６］複数種類の関連情報を用いた選択方法
選択手段１０４は、上述した複数種類の関連情報を用いてコンテンツを選択してもよい。選択手段１０４は、例えば、コンテンツ毎の優先度を決定し、決定した優先度に応じてコンテンツを選択する。具体的には、選択手段１０４は、選択方法毎に決められた方法で優先度を決定するために用いる値を算出する。この値は、例えば、第２、第３、第４選択方法については、上述した属性関連度、位置関連度、時期関連度の値をそのまま用いる。また、第１、第５、第６選択方法については、コンテンツ毎の処理量と、視線が表示情報に向いている時間の長さと、表示情報の表示時間とを１〜３の値に変換し、それらの値を合計したものを優先度として決定する。
【００６１】
選択手段１０４は、こうして決定した優先度が最も高いコンテンツや、優先度が高い方から予め決められた順位までのコンテンツを選択する。なお、各選択方法で算出される値は、全て同じ範囲の値（上記の例だと１〜３）でなくてもよく、選択方法毎に異なる範囲の値を算出してもよい。この値の範囲を異ならせることで、選択方法毎に重みを付けること（換言すると、優先度に与える影響の大きさを変化させること）ができる。
【００６２】
［３］変形例
上述した各実施形態は、各々が本発明の実施の一例に過ぎず、以下のように変形させてもよい。また、上述した各実施形態及び以下に示す各変形例は、必要に応じてそれぞれ組み合わせて実施してもよい。
【００６３】
［３−１］２以上のコンテンツを表示
表示制御手段１０５は、選択手段１０４により２以上のコンテンツが選択された場合に、例えば次のようにそれらのコンテンツを表示させる。
図１２は、２以上のコンテンツを表示させた状態の例を示す図である。図１２（ａ）では、表示制御手段１０５は、第２表示手段１０２の表示面を分割し、選択手段１０４により選択されたコンテンツを分割した領域にそれぞれ表示させている。この場合、ユーザは、各コンテンツをスクロールさせることでコンテンツの全体を見ることができる。
【００６４】
図１２（ｂ）では、表示制御手段１０５は、選択手段１０４により選択されたコンテンツのリストＤ１を第２表示手段１０２に表示させている。この場合、表示制御手段１０５は、ユーザがリストＤ１内の各コンテンツを指定する操作を行うと、指定されたコンテンツを例えば第２表示手段１０２の全体に表示させる。このように、表示制御手段１０５は、ユーザが何らかの操作を行うことで、選択された２以上のコンテンツのそれぞれを見ることができるように第２表示手段１０２に表示させればよい。
【００６５】
また、表示制御手段１０５は、図１２の例では、選択された２以上のコンテンツを上述した優先度（各コンテンツについて関連情報に基づいて決定されるもの）に応じた位置で表示させている。図１２（ａ）であれば、コンテンツＣがコンテンツＢよりも優先度が高くなっており、表示制御手段１０５は、コンテンツＣを上側の位置に、コンテンツＢを下側の位置に表示させている。また、図１２（ｂ）であれば、コンテンツＥ、Ｄ、Ｂ、Ｃの順番に後ろになるほど優先度が高くなっており、表示制御手段１０５は、優先度が高いものほど上側に位置するようにしたリストＤ１を表示させている。
【００６６】
表表示面２１や裏表示面３１のような長方形の表示面では、ユーザは上側から下側に向け、且つ、左側から右側に向けて視線を動かしていくことが多い。そのため、上側や左側に近いコンテンツほどユーザに認識されやすく、下側や右側に近いコンテンツほどユーザが見落としやすい。本変形例では、上記のとおり優先度に応じた位置にコンテンツを表示させることで、優先度の高いコンテンツほどユーザに認識されやすいようにすることができる。
【００６７】
また、表示制御手段１０５は、上記の優先度に応じた態様でコンテンツを表示させてもよい。
図１３は、優先度に応じた態様でコンテンツを表示させた状態の例を示す図である。図１３（ａ）では、表示制御手段１０５は、第２表示手段１０２の表示面を大きさの異なる領域に分割し、優先度の高いコンテンツ（この例ではＣ）を大きな領域に表示させ、優先度の低いコンテンツ（この例ではＢ）を小さな領域に表示させている。この場合も、優先度の高いコンテンツほどユーザに認識されやすいようにすることができる。
【００６８】
また、図１３（ｂ）では、表示制御手段１０５は、コンテンツＣを、コンテンツＢと大きさは変わらないが、「あなたにぴったり」という文字列を含む画像Ｄ２を重ねて表示させている。これにより、コンテンツＢよりもコンテンツＣ、すなわち優先度の高い方のコンテンツにユーザの関心を持たせることができる。なお、優先度に応じた態様はこれらに限らない。他にも、優先度に応じて色や形を異ならせてもよいし、文字の大きさやフォントを異ならせてもよい。
【００６９】
［３−２］リストの表示
表示制御手段１０５は、図１２（ｂ）に示すリストＤ１のような選択手段１０４により選択されたコンテンツのリストを表示させた場合に、さらに、そのリストを表す画像（以下「リスト画像」という）を第１表示手段１０１に表示させてもよい。
図１４は、リスト画像の一例を示す図である。図１４（ａ）では、表示制御手段１０５は、リストＤ１のリスト画像Ｅ１を表表示部２０（この例での第１表示手段１０１）に表示させている。
【００７０】
リスト画像Ｅ１は、「コンテンツリスト」という文字列と、各コンテンツを並べたリストを表している。図１４（ｂ）では、表示制御手段１０５は、裏表示部３０（この例での第２表示手段１０２）側でユーザが指定しているコンテンツＢの枠を太く表し、枠内もハッチングして表示させている。これにより、ユーザは、第１表示手段１０１を見ながらでも、第２表示手段１０２にどのようなコンテンツのリストが表示されているかということを確認することができ、さらに、それらのうちから自分がどのコンテンツを指定しようとしているかということも確認することができる。
【００７１】
［３−３］表示情報の表示
表示制御手段１０５は、第２表示手段１０２に表示させたコンテンツに対応する表示情報を、他の表示情報とは異なる態様で第１表示手段１０１に表示させてもよい。
図１５は、本変形例で第１及び第２表示手段に表示される画像の一例を示す図である。図１５（ａ）では、図６に示したポータルサイト甲が表表示部２０に表示され、図１５（ｂ）では、選択手段１０４により選択されたコンテンツＣが裏表示部３０に表示されている。
【００７２】
表示制御手段１０５は、第２表示手段１０２（この場合裏表示部３０）に表示させたコンテンツＣに対応する表示情報Ｃ３をハイライト（文字を白抜きで表した状態）して表示させている。これにより、ユーザは、第１表示手段１０１を見ながらでも、第２表示手段１０２にどのコンテンツが表示されたかということを確認することができる。
なお、表示制御手段１０５は、ハイライトに限らず、例えば、文字を太字にしたり、画像を大きくしたり、装飾を表す画像で表示情報を囲んだりすることで、異なる態様での表示を行ってもよい。
【００７３】
［３−４］第１及び第２表示手段
第１及び第２表示手段は、実施形態で述べたものに限らない。例えば、裏表示部が表表示部と同じ寸法であってもよい。また、例えば折りたたみ式の表示装置の４つの面のうちのいずれか２つの面に設けられた２つの表示手段であってもよい。また、２つの表示手段が隣り合っていてもよいし、向かい合っていてもよい。要するに、第１及び第２表示手段は、それぞれコンテンツや表示情報を表示できるものであればよい。
【００７４】
［３−５］選択方法
選択手段１０４は、上述した各実施形態で述べたものとはさらに異なる方法でコンテンツを選択してもよい。選択手段１０４は、例えば、コンテンツ毎の優先度が予め定められている場合に、その優先度が高いものから１以上のコンテンツを選択する。コンテンツ毎の優先度は、例えば各コンテンツがどのくらい著名であるか（これを「著名度」という）によって定められている。例えば各コンテンツの所定の期間（過去１年間など）における閲覧数が多いほど著名度が高いものとしてもよいし、表示装置の提供者等の判断で著名度が定められてもよい。例えば、「○○ニュース」、「△△新聞」、「雑誌□□」というコンテンツに対応する表示情報が第１表示手段に表示されている場合に、「○○ニュース」の優先度が最も高く、「△△新聞」が２番目、「雑誌□□」が３番目となる優先度が定められていれば、選択手段１０４は、優先度が最も高い「○○ニュース」を選択する。
【００７５】
優先度が著名度に基づいて定められている場合、著名なコンテンツほどユーザが関心を持つ可能性が高いから、優先度に関係なくコンテンツを選択する場合に比べて、ユーザが表示させる可能性が高いコンテンツを第２表示手段に表示させることができる。なお、本変形例の優先度は、ユーザが変更できるようになっていてもよい。この場合、ユーザは、自分が関心を持ちやすいコンテンツほど優先度を高く定めることで、より自分が表示させる可能性の高いコンテンツを第２表示手段に表示させることができる。
【００７６】
［３−６］発明のカテゴリ
本発明は、表示装置が実施する処理を実現するための表示方法としても捉えられる。ここでいう処理とは、例えば、図７に示す表示処理である。また、本発明は、表示装置のようなコンピュータで実行されるプログラムとしても捉えられるものである。このプログラムは、それを記憶させた光ディスク等の記録媒体の形態で提供されたり、インターネット等のネットワークを介して、コンピュータにダウンロードさせ、それをインストールして利用可能にするなどの形態でも提供されたりするものであってもよい。
【符号の説明】
【００７７】
１０…表示装置、１１…制御部、１２…記憶部、１３…通信部、１４…操作部、１５…測位部、１６…撮像部、２０…表表示部、２１…表表示面、３０…裏表示部、３１…裏表示面、１０１…第１表示手段、１０２…第２表示手段、１０３…取得手段、１０４…選択手段、１０５…表示制御手段。
【図１】
2015158867.tif 000003
【図２】
2015158867.tif 000004
【図３】
2015158867.tif 000005
【図４】
2015158867.tif 000006
【図５】
2015158867.tif 000007
【図６】
2015158867.tif 000008
【図７】
2015158867.tif 000009
【図８】
2015158867.tif 000010
【図９】
2015158867.tif 000011
【図１０】
2015158867.tif 000012
【図１１】
2015158867.tif 000013
【図１２】
2015158867.tif 000014
【図１３】
2015158867.tif 000015
【図１４】
2015158867.tif 000016
【図１５】
2015158867.tif 000017